(57)【要約】【課題】第１撮像手段および第２撮像手段を有しつつ、大型化を抑制するとともに、局所的な温度上昇を抑制可能な撮像装置およびその制御方法を提供すること。【解決手段】撮像光学系により結像される被写体像を撮像する第１撮像素子を有する第１撮像手段と、撮像光学系により結像される被写体像を撮像する第２撮像素子を有する第２撮像手段と、画像データを表示可能であり、第２撮像手段よりも第１撮像手段に近接した位置に配置される第１表示手段と、動画撮影を開始させるための指示信号を受信した場合、第２撮像手段を用いて動画撮影を行い、第１表示手段に第２撮像手段から取得したスルー画像を表示させる制御手段と、を有する。【選択図】図４
2019049600.tif 000002
【特許請求の範囲】
【請求項１】
撮像光学系により結像される被写体像を撮像する第１撮像素子を有する第１撮像手段と、
撮像光学系により結像される被写体像を撮像する第２撮像素子を有する第２撮像手段と、
画像データを表示可能であり、前記第２撮像手段よりも前記第１撮像手段に近接した位置に配置される第１表示手段と、
動画撮影を開始させるための指示信号を受信した場合、前記第２撮像手段を用いて動画撮影を行い、前記第１表示手段に前記第２撮像手段から取得したスルー画像を表示させる制御手段と、を有することを特徴とする撮像装置。
【請求項２】
第１動画撮影モードと第２動画撮影モードとを設定可能な設定手段を更に有し、
前記制御手段は、
前記設定手段により前記第１動画撮影モードが設定された場合、前記指示信号を受信する前の待機状態において、前記第１表示手段に前記第２撮像手段から取得したスルー画像を表示させ、
前記設定手段により前記第２動画撮影モードが設定された場合、前記待機状態において、前記第１表示手段に前記第１撮像手段から取得したスルー画像を表示させることを特徴とする請求項１に記載の撮像装置。
【請求項３】
画像データを表示可能であり、前記第１撮像手段よりも前記第２撮像手段に近接した位置に配置される第２表示手段と、
前記第１表示手段または前記第２の表示装置のいずれが使用されているかを判定する判定手段と、を更に有し、
前記制御手段は、前記指示信号を受信した場合であって、
前記判定手段により前記第１表示手段が使用されていると判定された場合、前記第２撮像手段を用いて動画撮影を行い、前記第１表示手段に前記第２撮像手段から取得したスルー画像を表示させ、
前記判定手段により前記第２表示手段が使用されていると判定された場合、前記第１撮像手段を用いて動画撮影を行い、前記第２表示手段に前記第１撮像手段から取得したスルー画像を表示させることを特徴とする請求項１に記載の撮像装置。
【請求項４】
第１動画撮影モードと第２動画撮影モードとを設定可能な設定手段を更に有し、
前記制御手段は、
前記設定手段により前記第１動画撮影モードが設定された場合であって、
前記指示信号を受信する前の待機状態において、前記判定手段により前記第１表示手段が使用されていると判定された場合、前記第１表示手段に前記第２撮像手段から取得したスルー画像を表示し、
前記待機状態において、前記判定手段により前記第２表示手段が使用されていると判定された場合、前記第２表示手段に前記第１撮像手段から取得したスルー画像を表示し、
前記設定手段により前記第２動画撮影モードが設定された場合であって、
前記待機状態において、前記判定手段により前記第１表示手段が使用されていると判定された場合、前記第１表示手段に前記第１撮像手段から取得したスルー画像を表示し、
前記待機状態において、前記判定手段により前記第２表示手段が使用されていると判定された場合、前記第２表示手段に前記第２撮像手段から取得したスルー画像を表示することを特徴とする請求項３に記載の撮像装置。
【請求項５】
撮影者がファインダーに接眼していることを検出する接眼検出手段を更に有し、
前記第２表示手段は、前記ファインダーの内部に設けられ、
前記判定手段は、前記接眼検出手段の検出結果に基づいて判定を行うことを特徴とする請求項３または４に記載の撮像装置。
【請求項６】
ヒンジ部により装置本体に対し回動可能な回動ユニットの回動状態を検出する回動検出手段を更に有し、
前記第１表示手段は、前記回動ユニットに取り付けられ、
前記判定手段は、前記回動検出手段の検出結果に基づいて判定を行うことを特徴とする請求項３または４に記載の撮像装置。
【請求項７】
撮像光学系により結像される被写体像を撮像する第１撮像素子を有する第１撮像手段と、撮像光学系により結像される被写体像を撮像する第２撮像素子を有する第２撮像手段と、画像データを表示可能であり、前記第２撮像手段よりも前記第１撮像手段に近接した位置に配置される第１表示手段と、を有する撮像装置の制御方法であって、
動画撮影を開始させるための指示信号を受信するステップと、
前記第２撮像手段を用いて動画撮影を行い、前記第１表示手段に前記第２撮像手段から取得したスルー画像を表示させるステップと、を有することを特徴とする撮像装置の制御方法。
【発明の詳細な説明】
【技術分野】
【０００１】
本発明は、動画を撮影可能な撮像装置およびその制御方法に関する。
【背景技術】
【０００２】
被写体像を電気信号に変換して撮影するデジタルカメラ等の撮像装置では、光束を撮像素子で受光し、その撮像素子から出力される光電変換信号を画像データに変換して、メモリカード等の記録媒体に記録する。撮像素子としては、ＣＣＤ（Ｃｈａｒｇｅ  Ｃｏｕｐｌｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００３】
近年、撮像装置の使用方法として、動画撮影中に静止画を撮影する方法が広まってきている。１つの撮像素子を用いて、静止画像および動画像の撮影を行うことは可能であるが、両画像を同時に取得する場合、画素読み出し処理や最適な撮影条件が異なるため、静止画像の撮影中は動画像を一時的に中断する必要がある。特許文献１では、第１撮像素子と第２撮像素子とを有し、ハーフミラーで被写体像を分割し、第１撮像素子で静止画撮影、第２撮像素子で動画撮影を行う撮像装置が開示されている。
【０００４】
撮像素子は、連続的な動作に伴い発熱するため、撮像装置内において発熱源となるが、近年、撮像素子の高画素化、画像処理回路の高集積化、および動画撮影の高機能化により消費電力が増加し、発熱量が増加している。特許文献２では、消費電力の高い高画素な第１撮像素子と、消費電力の低い低画素な第２撮像素子と、を被写体に応じて切り替え、消費電力を抑制する構成が開示されている。
【先行技術文献】
【特許文献】
【０００５】
【特許文献１】特開２０１４−１２２９５７号公報
【特許文献２】特願２００５−１１４９３６号公報
【発明の概要】
【発明が解決しようとする課題】
【０００６】
しかしながら、特許文献１および特許文献２では、撮像素子以外の発熱源が考慮されていない。撮像素子と他の発熱源が近接する場合、撮像装置の外装部材の一部が局所的に温度上昇する場合がある。外装温度の上昇に対して、撮影を途中で停止する方法が提案されているが、撮影時間が短縮してしまう。また、装置内部で発生した熱をファンなどにより外部に逃がす方法も提案されているが、装置が大型化してしまう。
【０００７】
本発明は、第１撮像手段および第２撮像手段を有しつつ、大型化を抑制するとともに、局所的な温度上昇を抑制可能な撮像装置およびその制御方法を提供することである。
【課題を解決するための手段】
【０００８】
本発明の一側面としての撮像装置は、撮像光学系により結像される被写体像を撮像する第１撮像素子を有する第１撮像手段と、撮像光学系により結像される被写体像を撮像する第２撮像素子を有する第２撮像手段と、画像データを表示可能であり、前記第２撮像手段よりも前記第１撮像手段に近接した位置に配置される第１表示手段と、動画撮影を開始させるための指示信号を受信した場合、前記第２撮像手段を用いて動画撮影を行い、前記第１表示手段に前記第２撮像手段から取得したスルー画像を表示させる制御手段と、を有することを特徴とする。
【０００９】
また、本発明の他の側面としての撮像装置の制御方法は、撮像光学系により結像される被写体像を撮像する第１撮像素子を有する第１撮像手段と、撮像光学系により結像される被写体像を撮像する第２撮像素子を有する第２撮像手段と、画像データを表示可能であり、前記第２撮像手段よりも前記第１撮像手段に近接した位置に配置される第１表示手段と、を有する撮像装置の制御方法であって、動画撮影を開始させるための指示信号を受信するステップと、前記第２撮像手段を用いて動画撮影を行い、前記第１表示手段に前記第２撮像手段から取得したスルー画像を表示させるステップと、を有することを特徴とする。
【発明の効果】
【００１０】
本発明によれば、第１撮像手段および第２撮像手段を有しつつ、大型化を抑制するとともに、局所的な温度上昇を抑制可能な撮像装置およびその制御方法を提供することができる。
【図面の簡単な説明】
【００１１】
【図１】本発明の実施形態に係る撮像装置のブロック図である。
【図２】撮像装置の外観図である。
【図３】撮像装置の撮影光軸での断面図である。
【図４】本実施形態の通常動画撮影モードでの動画撮影時の動作フローチャートである。
【図５】本実施形態の通常動画撮影モードでの動画撮影時の動作フローチャートの変形例である。
【図６】本実施形態の高画質動画撮影モードでの動画撮影時の動作フローチャートである。
【図７】本実施形態の高画質動画撮影モードの動画撮影時の動作フローチャートの変形例である。
【図８】撮像装置の変形例の外観図である。
【発明を実施するための形態】
【００１２】
以下、本発明の実施例について、図面を参照しながら詳細に説明する。各図において、同一の部材については同一の参照番号を付し、重複する説明は省略する。
【００１３】
図１は、カメラ本体（撮像装置）１と、撮像光学系を備え、カメラ本体１に着脱可能に取り付けられるレンズユニット２と、を有するカメラシステムのブロック図である。図２（ａ）はカメラ本体１の前面斜視図であり、図２（ｂ）はカメラ本体１の背面斜視図である。図３は、カメラシステムの撮影光軸での断面図である。図３（ａ）は、ミラー３が撮影光軸上に位置するミラーダウン状態を示している。図３（ｂ）は、ミラー３が撮影光軸から退避したミラーアップ状態を示している。本実施形態では、レンズユニット２は、カメラ本体１に着脱可能に取り付けられるが、カメラ本体１に固定、すなわちカメラ本体１と一体的に構成されていてもよい。
【００１４】
レンズユニット２は、フォーカスレンズ３０、フォーカスレンズ３０を駆動するレンズ駆動回路３１、およびレンズ制御回路１９を有する。
【００１５】
ミラー３は、半透過ミラーであり、カメラ回路制御マイコン１５からの命令により、ミラー駆動回路１７が駆動し、不図示のミラー駆動機構を介して、図３（ａ）のミラーダウン位置と図３（ｂ）のミラーアップ位置との間を回動する。ミラー駆動機構は、例えば、ステッピングモーター、ギア列およびカム部材などで構成される。カメラ本体１がミラーダウン状態である場合、ミラー３によって反射された光束は第２撮像手段５に入射し、ミラー３を透過した光束は第１撮像手段４に入射する。カメラ本体１がミラーアップ状態である場合、レンズユニット２からの光束は、第１撮像手段４のみに入射する。
【００１６】
第１撮像手段４は、ＣＣＤやＣＭＯＳ等で構成される第１撮像素子４ａ、および第１焦点検出センサ２２を有する。第２撮像手段５は、ＣＣＤやＣＭＯＳ等で構成される第２撮像素子５ａ、および第２焦点検出センサ２４を有する。第１焦点検出センサ２２および第２焦点検出センサ２４は、位相差方式の焦点検出を行う。なお、焦点検出の方式は、位相差方式に限定されず、撮影像の明暗差が大きな箇所を探索することで焦点検出を行うコントラスト方式としてもよい。
【００１７】
第１焦点駆動回路２３は、第１焦点検出センサ２２から出力された信号を受信し、被写体信号に換算した後、カメラ回路制御マイコン１５に送信する。第２焦点駆動回路２５は、第２焦点検出センサ２４から出力された信号を受信し、被写体信号に換算した後、カメラ回路制御マイコン１５に送信する。カメラ回路制御マイコン１５は、被写体信号に基づいて位相差検出法による焦点検出演算を行う。具体的には、カメラ回路制御マイコン１５は、被写体信号を用いてデフォーカス量および方向を算出し、それに従いレンズユニット２内のレンズ制御回路１９およびレンズ駆動回路３１を介してフォーカスレンズ３０を合焦位置に移動させる。
【００１８】
第１撮像手段４および第２撮像手段５は、撮像光学系により結像される被写体像を撮像する。第１撮像手段４は、第１撮像手段の駆動／制御回路６により駆動／制御され、第１撮像手段４から出力されたアナログ信号は第１Ａ／Ｄ変換回路７によりデジタル信号に変換される。第２撮像手段５は第２撮像手段の駆動／制御回路８により駆動／制御され、第２撮像手段５から出力されたアナログ信号は第２Ａ／Ｄ変換回路９によりデジタル信号に変換される。
【００１９】
画像処理回路１０は、第１Ａ／Ｄ変換回路７および第２Ａ／Ｄ変換回路９から出力されたデジタル信号を処理することで画像データを生成する。生成された画像データは、バッファメモリ１１に保存されたり、表示部材の駆動回路１２により液晶等で構成された背面表示装置（第１表示手段）１３、およびファインダーの内部に設けられたファインダー内表示装置（第２表示手段）５０に表示される。背面表示装置１３およびファインダー内表示装置５０は、画像データだけでなく、撮影モード、レンズの絞り値、シャッタスピード値およびＩＳＯ感度などの各種情報を表示可能である。背面表示装置１３は、図２および図３に示されるように、カメラ本体１の背面に設けられており、第２撮像手段５よりも第１撮像手段４に近接した位置に配置されている。ファインダー内表示装置５０は、第１撮像手段４よりも第２撮像手段５に近接した位置に配置されている。
【００２０】
接眼レンズ５１は、撮影者がファインダー内表示装置５０に表示される画像データや各種情報を拡大して観察するために用いられる。接眼検出部（接眼検出手段）５２は、撮影者がファインダー内表示装置５０を覗いている（撮影者がファインダーに接眼している）ことを検出するセンサであり、赤外発光装置およびその反射光の受光装置で構成されている。デジタル回路制御マイコン１４は、接眼検出部５２の検出結果に基づいて背面表示装置１３およびファインダー内表示装置５０の表示状態を所定の状態に変更する。
【００２１】
デジタル回路制御マイコン１４は、ＣＰＵバスを介して画像処理回路１０、および表示部材の駆動回路１２と通信し、データの授受を行い、これらを統括的に制御している。カメラ回路制御マイコン１５は、カメラ本体１に設けられたスイッチやボタン等の状態の検出や、ミラー駆動回路１７等に対する各種演算処理を統括的に行う。また、カメラ回路制御マイコン１５は、カメラ本体１の各種設定値が保存されているＥＥＰＲＯＭ１８を有する。また、カメラ回路制御マイコン１５は、マウント接点２０を介してレンズユニット２内のレンズ制御回路１９と通信を行う。マウント接点２０は、カメラ本体１にレンズユニット２が接続されると、カメラ回路制御マイコン１５に信号を送信する機能も有する。レンズ制御回路１９は、レンズの固有情報や、レンズの焦点距離、画角、および絞り量等に関する情報が保存されているレンズ内メモリ２１を有する。デジタル回路制御マイコン１４とカメラ回路制御マイコン１５は互いに通信を行っており、協調してカメラ本体１全体の制御を行う制御手段として機能する。
【００２２】
カメラ本体１には、撮影モード設定ダイヤル（設定手段）７０、静止画撮影ボタン７１、および動画撮影ボタン７２が配置されており、それぞれスイッチセンス回路１６に接続されている。撮影モード設定ダイヤル７０は、カメラ本体１の各種の撮影モードを設定するためのダイヤルである。本実施形態では、動画撮影において、通常動画撮影モードと高画質動画撮影モードとを設定可能である。スイッチセンス回路１６は、各操作部材の操作状態に応じて入力信号をカメラ回路制御マイコン１５に送信する。
［通常動画撮影モード］
図４および図５を参照して、デジタル回路制御マイコン１４およびカメラ回路制御マイコン１５から構成される制御手段により実行される本実施形態の通常動画撮影モードについて説明する。図４は、撮影モード設定ダイヤル７０で通常動画撮影モードが選択された際の動画撮影時の動作フローチャートである。
【００２３】
ステップＳ２００では、デジタル回路制御マイコン１４は、接眼検出部５２の検出結果に基づいて撮影者がファインダー内表示装置５０を覗いているかどうか（撮影者がファインダーに接眼しているかどうか）を判定する。覗いていると判定した場合、ステップＳ２０１に進み、覗いていないと判定した場合、ステップＳ２１１に進む。
【００２４】
ステップＳ２０１では、カメラ回路制御マイコン１５は、ミラー３をミラーアップ位置に移動させる。
【００２５】
ステップＳ２０２では、デジタル回路制御マイコン１４は、表示部材の駆動回路１２を制御することで、第１撮像手段４により取得されたスルー画像をファインダー内表示装置５０に表示させる。このとき、消費電力を小さくするために、背面表示装置１３を消灯することが望ましい。また、第１撮像手段４は、被写体の光量落ちを防ぐために、本実施形態のようにミラーアップ状態でスルー画像を取得することが望ましいが、ミラーダウン状態でスルー画像を取得してもよい。
【００２６】
ステップＳ２０３では、カメラ回路制御マイコン１５は、動画撮影を開始させるための動画撮影ボタン７２が押下されることで動画撮影を開始させるための指示信号を受信したかどうか、すなわち動画撮影を開始させるかどうかを判定する。動画撮影を開始させると判定した場合、ステップＳ２０４に進み、開始させないと判定した場合、ステップＳ２００に戻る。
【００２７】
ステップＳ２０４では、カメラ回路制御マイコン１５は、第１撮像手段４に動画撮影を開始させる。
【００２８】
ステップＳ２１１では、カメラ回路制御マイコン１５は、ミラー３をミラーダウン位置に移動させる。
【００２９】
ステップＳ２１２では、デジタル回路制御マイコン１４は、表示部材の駆動回路１２を制御することで、第２撮像手段５により取得されたスルー画像を背面表示装置１３に表示させる。このとき、消費電力を小さくするために、ファインダー内表示装置５０を消灯することが望ましい。
【００３０】
ステップＳ２１３では、カメラ回路制御マイコン１５は、動画撮影を開始させるための動画撮影ボタン７２が押下され、動画撮影を開始させるための指示信号を受信したかどうか、すなわち動画撮影を開始させるかどうかを判定する。動画撮影を開始させると判定した場合、ステップＳ２１４に進み、開始させないと判定した場合、ステップＳ２００に戻る。
【００３１】
ステップＳ２１４では、カメラ回路制御マイコン１５は、第２撮像手段５に動画撮影を開始させる。
【００３２】
ステップＳ２２０では、デジタル回路制御マイコン１４は、接眼検出部５２の検出結果に基づいて撮影者がファインダー内表示装置５０を覗いているかどうか（撮影者がファインダーに接眼しているかどうか）を判定する。覗いていると判定した場合、ステップＳ２２１に進み、覗いていないと判定した場合、ステップＳ２２２に進む。
【００３３】
ステップＳ２２１では、デジタル回路制御マイコン１４は、撮影中の動画をファインダー内表示装置５０に表示させる。
【００３４】
ステップＳ２２２では、デジタル回路制御マイコン１４は、撮影中の動画を背面表示装置１３に表示させる。
【００３５】
ステップＳ２２１およびステップＳ２２２では、消費電力を小さくするために、撮影中の動画を表示していない（使用していない）表示装置は消灯することが望ましい。
【００３６】
ステップＳ２２３では、カメラ回路制御マイコン１５は、動画撮影を終了させるための動画撮影ボタン７２が再び押下され、動画撮影を終了させるための指示信号を受信したかどうか、すなわち動画撮影を終了させるどうかを判定する。動画撮影を終了させると判定した場合、動画撮影を終了させ、終了させないと判定した場合、ステップＳ２２０に戻る。
【００３７】
以上のように、本モードでは、２つの撮像手段のうち、動画撮影を開始させるための指示信号を受信する前の待機状態においてスルー画像を表示している表示装置からより離れている撮像手段を用いてスルー画像を取得する。また、２つの撮像手段のうち、動画撮影開始時においてスルー画像を表示している表示装置からより離れている撮像手段を用いて動画撮影を行う。発熱源となる表示装置および撮像手段が常に離れた位置で駆動するため、カメラ本体１の内部の発熱源が分散する。そのため、部品を追加することなくカメラ本体１の外装温度を均一に上昇させることが可能となり、従来構成に比べて、温度上昇に伴う撮影者の不快感に対する対策である撮影の途中停止までの時間を長くすることが可能になる。さらに、本モードでは、待機状態でのスルー画像取得と動画撮影を同一の撮像手段が行うため、高画質動画撮影モードの場合に対して、動画撮影待機時に確認していた画角が動画撮影時にずれることがないという利点を有する。
【００３８】
本実施形態では２つの表示装置（ファインダー内表示装置５０と背面表示装置１３）が設けられているが、本発明はこれに限定されない。例えば、ファインダー内表示装置５０および接眼検出部５２を備えず、背面表示装置１３を備えるカメラの場合、図５に示されるフローチャートに従って通常動画撮影モードでの動画撮影を実行すればよい。図５のフローチャートは、図４のフローチャートのステップＳ２００およびステップＳ２２０の判定処理がなくなり、上記ステップにおいてＮｏ側へ進んだものと同様であるため、説明は省略する。
［高画質動画撮影モード］
図６および図７を参照して、デジタル回路制御マイコン１４およびカメラ回路制御マイコン１５から構成される制御手段により実行される本実施形態の高画質動画撮影モードについて説明する。図６は、撮影モード設定ダイヤル７０で高画質動画撮影モードが選択された際の動画撮影時の動作フローチャートである。
【００３９】
ステップＳ３００では、デジタル回路制御マイコン１４は、接眼検出部５２の検出結果に基づいて撮影者がファインダー内表示装置５０を覗いているかどうか（撮影者がファインダーに接眼しているかどうか）を判定する。覗いていると判定した場合、ステップＳ３０１に進み、覗いていないと判定した場合、ステップＳ３１１に進む。
【００４０】
ステップＳ３０１では、カメラ回路制御マイコン１５は、ミラー３をミラーダウン位置に移動させる。
【００４１】
ステップＳ３０２では、デジタル回路制御マイコン１４は、表示部材の駆動回路１２を制御することで、第２撮像手段５により取得されたスルー画像をファインダー内表示装置５０に表示させる。このとき、消費電力を小さくするために、背面表示装置１３を消灯することが望ましい。
【００４２】
ステップＳ３０３では、カメラ回路制御マイコン１５は、動画撮影を開始させるための動画撮影ボタン７２が押下され、動画撮影を開始させるための指示信号を受信したかどうか、すなわち動画撮影を開始させるかどうかを判定する。動画撮影を開始させると判定した場合、ステップＳ３０４に進み、開始させないと判定した場合、ステップＳ３００に戻る。
【００４３】
ステップＳ３０４では、カメラ回路制御マイコン１５は、ミラー３をミラーアップ位置に移動させる。
【００４４】
ステップＳ３０５では、カメラ回路制御マイコン１５は、第１撮像手段４に動画撮影を開始させる。第１撮像手段４は、被写体の光量落ちを防ぐために、本実施形態のようにミラーアップ状態で動画撮影を行うことが望ましいが、ミラーダウン状態で動画撮影を行ってもよい。
【００４５】
ステップＳ３１１では、カメラ回路制御マイコン１５は、ミラー３をミラーアップ位置に移動させる。
【００４６】
ステップＳ３１２では、デジタル回路制御マイコン１４は、表示部材の駆動回路１２を制御することで、第１撮像手段４により取得されたスルー画像を背面表示装置１３に表示させる。このとき、消費電力を小さくするために、ファインダー内表示装置５０を消灯することが望ましい。また、第１撮像手段４は、被写体の光量落ちを防ぐために、本実施形態のようにミラーアップ状態でスルー画像を取得することが望ましいが、ミラーダウン状態でスルー画像を取得してもよい。
【００４７】
ステップＳ３１３では、カメラ回路制御マイコン１５は、動画撮影を開始させるための動画撮影ボタン７２が押下され、動画撮影を開始させるための指示信号を受信したかどうか、すなわち動画撮影を開始させるかどうかを判定する。動画撮影を開始させると判定した場合、ステップＳ３１４に進み、開始させないと判定した場合、ステップＳ３００に戻る。
【００４８】
ステップＳ３１４では、カメラ回路制御マイコン１５は、ミラー３をミラーダウン位置に移動させる。
【００４９】
ステップＳ３１５では、カメラ回路制御マイコン１５は、第２撮像手段５に動画撮影を開始させる。
【００５０】
ステップＳ３２０では、デジタル回路制御マイコン１４は、接眼検出部５２の検出結果に基づいて撮影者がファインダー内表示装置５０を覗いているかどうか（撮影者がファインダーに接眼しているかどうか）を判定する。覗いていると判定した場合、ステップＳ３２１に進み、覗いていないと判定した場合、ステップＳ３２２に進む。
【００５１】
ステップＳ３２１では、デジタル回路制御マイコン１４は、撮影中の動画をファインダー内表示装置５０に表示させる。
【００５２】
ステップＳ３２２では、デジタル回路制御マイコン１４は、撮影中の動画を背面表示装置１３に表示させる。
【００５３】
ステップＳ３２１およびステップＳ３２２では、消費電力を小さくするために、撮影中の動画を表示していない（使用していない）表示装置は消灯することが望ましい。
【００５４】
ステップＳ３２３では、カメラ回路制御マイコン１５は、動画撮影を終了させるための動画撮影ボタン７２が再び押下され、動画撮影を終了させるための指示信号を受信したかどうか、すなわち動画撮影を終了させるどうかを判定する。動画撮影を終了させると判定した場合、動画撮影を終了させ、終了させないと判定した場合、ステップＳ３２０に戻る。
【００５５】
一般的に、動画撮影時の撮像手段の発熱量は、スルー画像取得時に比べて大きい。本モードでは、２つの撮像手段のうち、動画撮影開始時においてスルー画像を表示している表示装置からより離れている撮像手段を用いて動画撮影を行う。発熱源となる表示装置および撮像手段が動画撮影時に離れた位置で駆動するため、カメラ本体１の内部の熱源が分散する。そのため、部品を追加することなくカメラ本体１の外装温度を均一に上昇させることが可能となり、従来構成に比べて、温度上昇に伴う撮影者の不快感に対する対策である撮影の途中停止までの時間を長くすることが可能になる。
【００５６】
また、本モードでは、通常動画撮影モードとは異なり、２つの撮像手段のうち、動画撮影を開始させるための指示信号を受信する前の待機状態においてスルー画像を表示する表示装置により近接する撮像手段を用いてスルー画像を取得する。これにより、動画撮影待機時と動画撮影時で駆動する撮像手段が変更されるため、動画撮影時に使用される撮像手段の温度が比較的低温の状態で動画撮影が開始される。そのため、本モードでは、通常動画撮影モードに比べて熱によるノイズの少ない、高画質な動画を撮影することが可能になる。
【００５７】
本実施形態では、２つの表示装置（ファインダー内表示装置５０と背面表示装置１３）が設けられているが、本発明はこれに限定されない。例えば、ファインダー内表示装置５０および接眼検出部５２を備えず、背面表示装置１３を備えたカメラの場合、図７に示されるフローチャートに従って高画質動画撮影モードでの動画撮影を実行すればよい。図７のフローチャートは、図６のフローチャートのステップＳ３００およびステップＳ３２０の判定処理がなくなり、上記ステップにおいてＮｏ側へ進んだものと同様であるため、説明は省略する。
【００５８】
本実施形態では、デジタル回路制御マイコン１４が判定手段として機能し、接眼検出部５２の検出結果に基づいて、撮影者がファインダー内表示装置５０または背面表示装置１３のいずれを使用しているかを判定しているが、本発明はこれに限定されない。例えば、背面表示装置の近傍にヒンジ部を備え、背面表示装置を備えるユニットが可動式である場合、そのユニットの状態によって判定してもよい。
【００５９】
図８は、背面表示装置１３が装置本体に対して回動可能な回動ユニット４７に取りつけられているカメラ本体１００の外観図である。回動ユニット４７は、ヒンジ部４３内部に配置されている不図示のヒンジユニットによって、開閉軸４５を中心に左右開閉方向、および回転軸４６を中心に上下回転方向へ回動可能に背面カバー４０に支持されている。収納面４４は、背面表示装置１３が収納時に対向するように、背面カバー４０に設けられた凹形状の面である。回動ユニット４７の回動状態は、不図示の閉じセンサ（回動検出手段）により検出される。
【００６０】
図８（ａ）は、背面表示装置１３が収納面４４に対向するように、回動ユニット４７が収納されている状態を示している。閉じセンサが本状態を検出すると、デジタル回路制御マイコン１４は背面表示装置１３の表示を消灯させる。図８（ａ）の状態から開閉軸４５を中心に回動ユニット４７を回転させる（開いていく）と、閉じセンサは所定の角度で回動ユニット４７を検出できなくなる。このとき、デジタル回路制御マイコン１４は、背面表示装置１３の表示を点灯させる。図８（ｂ）は、開閉軸４５を中心に回動ユニット４７を開ききった状態を示している。回動ユニット４７は、図８（ｂ）の状態から回転軸４６を中心に回転すると、図８（ｃ）に示されるように、１８０°回転しきった状態になる。回動ユニット４７は、図８（ｃ）の状態から開閉軸４５を中心に回転させる（閉じていく）と、図８（ｄ）に示されるように、背面表示装置１３の表示面が撮影者に見えるように収納面４４に収納される。回動ユニット４７が上述した状態になる場合、例えば、閉じセンサにより回動ユニット４７が図８（ａ）の状態であることを検出されることで撮影者はファインダー内表示装置５０を使用していると判定してもよい。
【００６１】
以上、本発明の好ましい実施形態について説明したが、本発明はこれらの実施形態に限定されず、その要旨の範囲内で種々の変形および変更が可能である。
【符号の説明】
【００６２】
１    カメラ（撮像装置）
４    第１撮像手段
４ａ  第１撮像素子
５    第２撮像手段
５ａ  第２撮像素子
１３  背面表示装置（第１表示手段）
１４  デジタル回路制御マイコン（制御手段）
１５  カメラ回路制御マイコン（制御手段）
【図１】
2019049600.tif 000003
【図２】
2019049600.tif 000004
【図３】
2019049600.tif 000005
【図４】
2019049600.tif 000006
【図５】
2019049600.tif 000007
【図６】
2019049600.tif 000008
【図７】
2019049600.tif 000009
【図８】
2019049600.tif 000010